(57)【要約】      （修正有）【課題】ペレットの供給路でのペレットの詰まりを防止し、火力調整の可能な安定した燃焼を得る事ができる、電気レス木質ペレット暖房装置を提供する。【解決手段】電気を使用することなく、燃焼室内で、燃焼用容器に充填された木質ペレット１等の固形燃料を燃焼させる電気レス木質ペレット暖房装置であって、該暖房装置の燃焼用容器はロストルＡ５とロストルＢ６の少なくとも２以上の部品により構成され、該ロストルＢ６は前記ロストルＡ５と対向し摺動自在にして一次燃焼室床板１４面に配置して電気レス木質ペレット暖房装置を構成する。【選択図】図３
0003156427.tif 000002
【実用新案登録請求の範囲】
【請求項１】
電気を使用することなく、燃焼室内で、燃焼用容器に充填された木質ペレット等の固形燃料を燃焼させる電気レス木質ペレット暖房装置であって、該暖房装置の燃焼用容器はロストルAとロストルBの少なくとも２以上の部品により構成され、該ロストルBは前記ロストルAと対向し摺動自在にして一次燃焼室床板面に配置されていることを特徴とする電気レス木質ペレット暖房装置。
【請求項２】
前記燃焼用容器において、ロストルBは電気を使用しない例えば手動によるレバーあるいは渦巻ばね等の動力により摺動することを特徴とする請求項１に記載の電気レス木質ペレット暖房装置。
【考案の詳細な説明】
【技術分野】
【０００１】
本考案は、電気レス木質ペレット暖房装置に関するものである。
【背景技術】
【０００２】
世界的に推し進められている地球温暖化防止により石油の使用から循環再利用する木材を燃料とするペレット暖房装置が使用され始めている、木質ペレットは間伐材などを粉砕圧縮して、一般的に直径６MM、長さ２０MMの大きさに成形したもので、わが国の豊富な森林資源の活用と発展にも繋がることから注目されている。しかしわが国の初期のペレット暖房装置はペレットの供給をスクリューコンベアー等、動力により行い、また暖房装置の燃焼室への外気供給も送風ファンを使用して行っていたため、電源を必要とし設置場所を制約されていた、近年ペレットの供給と燃焼室への外気供給に電力を必要としない電気レス木質ペレット暖房装置が提案されている。
【先行技術文献】
【特許文献】
【０００３】
【特許文献１】特開２００９−４７３５０号公報
【０００４】
【特許文献２】特開２００５−６９６６３号公報
【考案の概要】
【考案が解決しようとする課題】
【０００５】
考案が解決しようとする問題点は、以上に述べた従来の電気レス木質ペレット暖房装置は燃焼火力の調節をペレットのホッパからの供給路に開閉する二枚の弁を用いて供給路を開閉することで行い、供給路を閉じる時には、ペレットは個々に移動方向を交差し、該ペレットはアーチ状の橋を形成し、供給路の内壁に従い落ちることなく該ペレットの詰まりが発生することから、火力調節を最小とすることには制約があった。
【課題を解決するための手段】
【０００６】
そして、本実用新案は上記目的を達成するために、燃焼火力の調節を燃焼容器の面積を調節することで行うこととした。具体的には、燃焼用容器はロストルAとロストルBの少なくとも２以上の部品により構成され、該ロストルBは前記ロストルAと対向し摺動自在にして一次燃焼室床板面に配置されていることを特徴とする電気レス木質ペレット暖房装置とした。
【０００７】
前記燃焼用容器において、ロストルBは電気を使用しない例えば手動によるレバーあるいは渦巻ばね等の動力により摺動することを特徴とする前記に記載の電気レス木質ペレット暖房装置とした。
【考案の効果】
【０００８】
上述のように本実用新案の電気レス木質ペレット暖房装置は、ペレットの供給路でのペレットの詰まりを防止し、火力調節の可能な安定した燃焼を得る事となり、電気レス木質ペレット暖房装置の便利性を向上することが可能となる。
【図面の簡単な説明】
【０００９】
【図１】図１は本実用新案に係わる電気レス木質ペレット暖房装置の一実施例を示す前面外観斜視図である。
【図２】図２は前記暖房装置の背面外観斜視図である。
【図３】図３は前記暖房装置の一次燃焼室の外観斜視図である。
【図４】図４は前記暖房装置の二次燃焼室の外観斜視図である。
【考案を実施するための形態】
【００１０】
電気を使用することなく、燃焼室内で、燃焼用容器に充填された木質ペレット等の固形燃料を燃焼させる電気レス木質ペレット暖房装置であって、該暖房装置の燃焼用容器はロストルAとロストルBの部品により構成され、該ロストルBは前記ロストルAと対向し、摺動自在にして一次燃焼室床板面に配置されていることを特徴とする暖房装置を具体化した実施形態例について、図１から図４に基づいて詳細に説明する。
【実施例】
【００１１】
図１は、本実用新案の全体外観斜視図である。ペレット１をホッパ２に投入して図２に示すように、燃料供給弁４を開にすると、ペレット１は燃料供給路３内を自然落下し、図３に示すように、ロストルA５と調節され所定位置のロストルB６により構成する燃焼用容器上に堆積する。
【００１２】
図３では、ロストルAとロストルBは櫛歯状の形状を持つ燃焼用容器としているが、何れか一方を丸孔としても良い。
【００１３】
燃焼用容器の上に堆積したペレット１の着火は、可燃物の例えば固形燃料を利用し、堆積したペレット１に着火する。
【００１４】
ペレット１の燃焼による一次燃焼から一次燃焼ガスが生じ、該一次燃焼ガスは燃焼用容器の上部に配置された二次燃焼室床板１１に設けた孔を通り上昇し、図４に示すように、二次燃焼筒７内に上昇する。
【００１５】
二次燃焼用空気供給筒８内の空気は、一次燃焼ガスが高温であるために急速に上昇するために、二次燃焼用空気供給筒内の空気に比較して圧力が低いことから、二次燃焼用空気供給筒８に設けられた孔より、一次燃焼ガスの中に流出する。
【００１６】
二次燃焼筒７内に流出した該二次燃焼用空気供給筒８内から流出した空気は、高温の一次燃焼の燃焼ガス内に含まれる一酸化炭素等の未燃焼物質を燃焼させ、二次燃焼を生じさせる。
【００１７】
上記二次燃焼は耐熱ガラス１８を通して二次燃焼室窓１２より利用者が内部透視可能としたことにより、炎による落ち着いた雰囲気を持たせた。
【００１８】
上記二次燃焼により、一次燃焼ガスを完全燃焼させ一酸化炭素濃度を減少させ環境に優しくした。
【００１９】
上記一次燃焼ガス内に、室内等から二次燃焼導入管１９を通して供給される、二次燃焼用空気を流入させることで一次燃焼ガスの温度を低下させ環境に優しくした。
【００２０】
上記二次燃焼ガスは二次燃焼ガス排出口２２より排出される。
【００２１】
燃焼用容器の上に堆積したペレット１が燃焼し、該燃焼用容器の上に堆積したペレット１の残量が少なくなると、燃料供給路３内でのペレット１は再び自然落下し始める。このように、燃焼過程においては、ペレット１の自然落下の中断と再開を繰り返す。
【００２２】
利用者が本実用新案の電気レス木質ペレット暖房装置の使用を中止する時には、燃料供給弁４を閉にするとペレット１の供給は中断され燃焼を停止することで可能となる。
【００２３】
次に燃焼火力について説明する。ロストルB６の所定位置に締結された手動レバー９によりロストルB６は摺動し、燃焼用容器に堆積するペレットの量と一次燃焼室床板１４に設けられた孔より燃焼用容器内に流入する空気の量を調節することにより、利用者は燃焼火力の調節が可能となる。
【００２４】
次に灰落としについて説明する。ロストルB6の所定位置に締結された手動レバー９により該ロストルB6を摺動させることを可能とした。また、ロストルB６の所定位置に回転自在にして軸受２５等で固定された軸２４と該軸に締結されたカム２３と渦巻ばね１０による自動灰落とし機構により、利用者は渦巻ばね１０に所定の回転を与えることで、所定の時間が経過するたびにロストルB６を所定の牽引力により摺動させ灰落としを行うことを可能とした。
【産業上の利用可能性】
【００２５】
地球温暖化防止に寄与し、わが国の豊富な森林資源の活用と発展に貢献する木質ペレット暖房装置を電源のない場所への普及を促進することから、本実用新案の産業上の利用可能性は大変大きい。
【符号の説明】
【００２６】
１      ペレット
２      ホッパ
３      燃料供給路
４      燃料供給弁
５      ロストルA
６      ロストルB
７      二次燃焼筒
８      二次燃焼用空気供給筒
９      手動レバー
１０    渦巻ばね
１１    二次燃焼室床板
１２    二次燃焼室窓
１３    二次燃焼室扉
１４    一次燃焼室床板
１５    一次燃焼室窓
１６    一次燃焼室扉
１７    灰受け
１８    耐熱ガラス
１９    二次燃焼空気導入管
２０    一次燃焼空気導入弁
２１    一次燃焼空気導入路
２２    二次燃焼ガス排出口    
２３    カム
２４    軸
２５    軸受
２６    自動消化装置
２７    ばね
【図１】
0003156427.tif 000003
【図２】
0003156427.tif 000004
【図３】
0003156427.tif 000005
【図４】
0003156427.tif 000006
【手続補正書】
【提出日】平成21年8月20日(2009.8.20)
【手続補正１】
【補正対象書類名】実用新案登録請求の範囲
【補正対象項目名】請求項２
【補正方法】変更
【補正の内容】
【請求項２】
前記燃焼用容器において、ロストルＢは電気を使用しない手動によるレバー、あるいはバネの動力により摺動することを特徴とする、請求項１に記載の電気レス木質ペレット暖房装置。